(57)【要約】      （修正有）【課題】地震の際に大きな横揺れや縦揺れが発生した時に、天井吊りボルトの揺動によって天井板が破壊、落下する危険性を払拭できる吊りボルト取付装置を提供する。【解決手段】屋根桁材２の水平状態から種々の傾斜状態に合わせて配置される屋根母屋３に、吊元金具４により吊りボルト５を垂直に堅固に取り付ける吊りボルト取付装置であり、屋根母屋３であるリップ付き溝形鋼の下部フランジ３ａが吊元金具４の掛入用開口部１０に掛入し、下部フランジ３ａの先端部に上向きに突設される上向きリップ３ｂが掛入用開口部１０の奥側に連通して上向きに開口形成されている掛嵌用開口部１１に嵌合掛止され、上向きリップ３ｂが垂直上向き状態から所要の傾斜上向き状態に扇形輪郭を描くように変移するのを許容するよう、掛嵌用開口部１１が奥広がりの略扇形開口状に形成されてなる。【選択図】図１
0003204309.tif 000002
【実用新案登録請求の範囲】
【請求項１】
屋根の勾配に合わせてその水平状態から種々の勾配角度に傾斜した傾斜状態に長手方向に配設される屋根桁材に直交して、リップ付き溝形鋼からなる屋根母屋が屋根桁材の水平状態から屋根桁材の種々の勾配角度に傾斜した傾斜状態に合わせて配置される該屋根母屋に吊元金具によって天井等の吊りボルトを垂直に取り付けるようにした吊りボルト取付装置であって、
該吊元金具は、吊りボルトをねじ込むネジ孔を設けた下部水平部板片と、該下部水平部板片の前後両端縁から上方に向かって立ち上がる一対の立ち上がり部板部片と、一対の立ち上がり部板部片の上部側から下部水平部板片に上下に対向するように延設される一対の上部縦板部片とからなり、一対の上部縦板部片とこれに対向する前記下部水平部板片との間に屋根母屋の下部フランジが掛入される掛入用開口部が形成され、一対の上部縦板部片と一対の立ち上がり部板部片との間に屋根母屋の上向きリップが嵌合掛止される掛嵌用開口部が前記掛入用開口部に連通して上向きに形成され、該掛嵌用開口部の入口開口部から奥行開口部に向かって上向きに傾斜する上向き傾斜掛止縁が一対の上部縦板部片の縦板端縁に形成され、該上向き傾斜掛止縁に対向して前記掛嵌用開口部を挟んで垂直に立ち上がる垂直立ち上がり掛止縁が立ち上がり部板部片の立ち上がり端縁に形成され、
しかして前記上向き傾斜掛止縁と前記垂直立ち上がり掛止縁とに囲繞されて、前記掛嵌用開口部は奥広がりの略扇形開口状に形成されてなることを特徴とする吊りボルト取付装置。
【請求項２】
前記一対の上部縦板部片の下縁部は、前記掛入用開口部に掛入される屋根母屋の下部フランジが水平に当接掛止されるための水平掛止縁を形成してなる請求項１に記載の吊りボルト取付装置。
【請求項３】
前記掛嵌用開口部の入口開口部を挟んで前記上向き傾斜掛止縁と前記垂直立ち上がり掛止縁とに、屋根母屋の下部フランジと上向きリップとのコーナー部が当接して屋根母屋の傾斜基準点となる傾斜基準縁が形成されてなる請求項１又は２に記載の吊りボルト取付装置。
【請求項４】
前記係嵌用開口部に形成される前記傾斜基準縁と前記上向き傾斜掛止縁と前記垂直立ち上がり掛止縁とに囲繞されて形成される略扇形開口状の掛嵌用開口部の扇形角は２５°に形成されてなる請求項１〜３の何れかに記載の吊りボルト取付装置。
【考案の詳細な説明】
【技術分野】
【０００１】
本考案は、主に種々の傾斜角度に配置された勾配屋根にその種々の傾斜角度に係わらず天井等を吊る吊りボルトを垂直に吊持するための吊りボルト取付装置に関する。
【背景技術】
【０００２】
従来、屋根材の勾配に合わせて種々の傾斜角度に傾斜して配設される鉄骨製屋根骨枠である屋根桁材に天井吊りボルトによって天井板を水平に吊持するため天井吊りボルト取付装置として、特許第３８１７３４６号に係る従来技術が存在する。この従来技術を、図８によって説明すると、屋根下地や屋根ボード等の屋根材１の勾配に合わせて種々の勾配角度に傾斜して配設される屋根桁材２である鉄骨製屋根骨枠の上面に、これに直交して固定具２０によってリップ付き溝形鋼からなる屋根母屋３が固着されている。そして、屋根桁材２に直接に取り付けられている板状の第１部材２１と、天井吊りボルト５が取り付けられる板状の第２部材２２とを重ね合わせて両者をその中心部Ｏを軸心として垂直面内を回転可能に枢着し、第１部材２１に対して第２部材２２をその中心部Ｏを回転中心として回転調整して、該第２部材２２に天井吊りボルトを５を垂直に吊持させるようにしている。この従来技術であると、地震の際の衝撃や振動によって第２部材２２が第１部材２１に対して回転揺動して第２部材２２に取り付けられている天井吊りボルト５を左右に大きく揺動する危険性があり、天井吊りボルト５の揺動によって、これに吊持される天井板２３が破壊、落下する大きな要因となり、又、第１部材２１と第２部材２２とを、その回転中心部Ｏを枢着するために構造が複雑で制作費が高くつく難点があった。なお、図中、周知のように、天井吊りボルト５の下端部にハンガー２４を介して野縁受け２５が取り付けられ、該野縁受けにクリップ２６を介して天井野縁２７が取り付けられ、該天井野縁２７に天井板２３が取り付けられるようになっている。
【考案の概要】
【考案が解決しようとする課題】
【０００３】
本考案は、上記従来技術のように、第１部材２１に対して、これとは別個に第２部材２２を回転可能に枢着することによって、地震の際に大きな横揺れや縦揺れが発生した時に、天井吊りボルト５の揺動によって天井板が破壊、落下する危険性を払拭して、長手方向に傾斜して配設されている屋根桁材２の傾斜状上面に傾斜状態に且つ直交して取り付けられている屋根母屋３を利用して、これに天井等の吊りボルト５を吊持することができる吊りボルト取付装置を提案することを目的とする。
【課題を解決するための手段】
【０００４】
上記目的を達成するための手段を図面の参照符号を付して示せば、図１、図２に示すように、請求項１の考案に係る吊りボルト取付装置は、屋根の勾配に合わせてその水平状態から種々の勾配角度に傾斜した傾斜状態に配設される屋根桁材２に直交して、リップ付き溝形鋼からなる屋根母屋３が屋根桁材２の水平状態から屋根桁材２が種々の勾配角度に傾斜した傾斜状態に合わせて配置される該屋根母屋３に吊元金具４によって天井等の吊りボルト５を垂直に取り付けるようにした吊りボルト取付装置であって、該吊元金具４は、吊りボルト５をねじ込むネジ孔６を設けた下部水平部板片７と、該下部水平部板片７の前後両端縁から上方に向かって立ち上がる一対の立ち上がり部板部片８と、一対の立ち上がり部板部片８の上部側から下部水平部板片７に上下に対向するように延設される一対の上部縦板部片９とからなり、一対の上部縦板部片９とこれに対向する前記下部水平部板片７との間に屋根母屋３の下部フランジ３ａが掛入される掛入用開口部１０が形成され、一対の上部縦板部片９と一対の立ち上がり部板部片８との間に屋根母屋３の上向きリップ３ｂが嵌合掛止される掛嵌用開口部１１が前記掛入用開口部１０に連通して上向きに形成され、該掛嵌用開口部１１の入口開口部１１ａから奥行開口部１１ｂに向かって上向き傾斜状の上向き傾斜掛止縁９ａが一対の上部縦板部片９の縦板端縁に形成され、該上向き傾斜掛止縁９ａに対向して前記掛嵌用開口部１１を挟んで垂直に立ち上がる垂直立ち上がり掛止縁８ａが立ち上がり部板部片８の立ち上がり端縁に形成され、しかして前記上向き傾斜掛止縁９ａと前記垂直立ち上がり掛止縁８ａとに囲繞されて、前記掛嵌用開口部１１は奥広がりの略扇形開口状に形成されてなることを特徴とする。
【０００５】
又、請求項２の考案は、前記一対の上部縦板部片９の下縁部は、前記掛入用開口部１０に掛入される屋根母屋３の下部フランジ３ａが水平に当接掛止されるための水平掛止縁９ｂを形成してなる請求項１に記載の吊りボルト取付装置に係る。
【０００６】
又、請求項３の考案は、前記掛嵌用開口部１１の入口開口部１１ａを挟んで前記上向き傾斜掛止縁９ａと前記垂直立ち上がり掛止縁８ａとに、屋根母屋３の下部フランジ３ａと上向きリップ３ｂとのコーナー部が当接して屋根母屋３の傾斜基準点となる傾斜基準縁９ａｏ，８ａｏが形成されてなる請求項１又は２に記載の吊りボルト取付装置に係る。
【０００７】
又、請求項４の考案は、前記係嵌用開口部１１に形成される前記傾斜基準縁９ａｏ，８ａｏと前記上向き傾斜掛止縁９ａと前記垂直立ち上がり掛止縁８ａとに囲繞されて形成される略扇形開口状の掛嵌用開口部１１の扇形角αは２５°に形成されてなる請求項１〜３の何れかに記載の吊りボルト取付装置に係る。
【考案の効果】
【０００８】
次に、本考案の効果について、図面の参照符号を付して説明する。請求項１の考案に係る吊りボルト取付装置は、図７に示すように、屋根１の勾配に合わせてその水平状態から種々の勾配角度に傾斜した傾斜状態に配設される屋根桁材２に直交して、リップ付き溝形鋼からなる屋根母屋３が屋根桁材２の水平状態から屋根桁材２が種々の勾配角度に傾斜した傾斜状態に合わせて配置される該屋根母屋３に、本考案に係る要部である吊元金具４によって天井等の吊りボルト５を垂直に取り付けるようにしたものであって、図１、特に図２に示すように、屋根母屋３であるリップ付き溝形鋼の下部フランジ３ａが吊元金具４の掛入用開口部１０に掛入し、且つ下部フランジ３ａの先端部に上向きに突設される上向きリップ３ｂが掛入用開口部１０の奥側に連通して上向きに開口形成されている掛嵌用開口部１１に嵌合掛止することになるが、この際、屋根母屋３であるリップ付き溝形鋼が屋根桁材２の水平状態から所要の傾斜状態に取り付けられることによって、上向きリップ３ｂは垂直上向き状態から所要の傾斜上向き状態に扇形輪郭を描くように変移することになる。この点で本考案に係る吊元金具４では、上記掛嵌用開口部１１が、その入口開口部１１ａを基点として奥広がりの略扇形開口状に形成されているため、上向きリップ３ｂは掛嵌用開口部１１において、上記扇形輪郭を描く変移が許容され、吊元金具４の下部水平部板片７は屋根母屋３の水平状態あるいは傾斜状態如何によらず、常に水平状態であり、したがって下部水平部板片７のネジ孔６にねじ込まれる吊りボルト５は常に垂直状態となっており、該ネジ孔６にねじ込まれた吊りボルト５の先端部は、図示のように、リップ付き溝形鋼の下部フランジ３ａを押圧し、且つ上向きリップ３ｂが屋根母屋３の掛嵌用開口部１１の壁面に掛止されて、水平状態から傾斜状態に変移する屋根母屋３に吊元金具４を介して吊りボルト５は堅固に取り付けられることになる。
【０００９】
又、屋根母屋３が屋根桁材２の上面に水平状態から所要の傾斜状態に取り付けられるに当って、簡単な構造の単一の吊元金具４によって吊りボルト５を常に垂直状態に吊持することができるため、安価に製造することができる。
【００１０】
しかも、吊元金具４の下部水平部板片７にねじ込まれる吊りボルト５の先端部が屋根母屋３の下部フランジ３ａを押圧し、この吊りボルト５の押圧力によって、屋根母屋３が水平状態にあっては、下部フランジ３ａが掛入用開口部１０の壁面に強力に掛止し、屋根母屋３が傾斜状態にあっては、吊りボルト５の押圧力によって、上向きリップ３ｂが掛嵌用開口部１１の壁面に強力に掛止することになるため、吊りボルト５を吊元金具４によって屋根母屋３に堅固に取り付けることができる。
【００１１】
請求項２の考案に係る吊りボルト取付装置によれば、前記一対の上部縦板部片９の下縁部は、前記掛入用開口部１０に掛入される屋根母屋３の下部フランジ３ａが水平に当接掛止されるための水平掛止縁９ｂを形成してなるため、前記掛入用開口部１０に掛入される屋根母屋３の下部フランジ３ａは該水平掛止縁９ｂによって強力に掛止され、地震の衝撃や振動によって屋根母屋３から吊元金具４及び吊りボルト５が脱落することはなく安定して使用することができる。
【００１２】
請求項３の考案に係る吊りボルト取付装置によれば、前記掛嵌用開口部１１の入口開口部１１ａを挟んで前記上向き傾斜掛止縁９ａと前記垂直立ち上がり掛止縁８ａとに、屋根母屋３の下部フランジ３ａと上向きリップ３ｂとのコーナー部３ｃが当接して屋根母屋３の傾斜基準点となる傾斜基準縁９ａｏ，８ａｏが形成されてなるため、傾斜状態にある屋根母屋３は、その下部フランジ３ａが吊元金具４の下部水平部板片７にねじ込まれる吊りボルト５の先端部に圧接支持され、且つ下部フランジ３ａと上向きリップ３ｂとのコーナー部３ｃが前記傾斜基準縁９ａｏ又は８ａｏに圧接支持されるため、種々の傾斜状態にある屋根母屋３に対して吊りボルト５を吊元金具４を介して垂直に強固に吊持することができる。
【００１３】
請求項４の考案に係る吊りボルト取付装置によれば、吊元金具４の前記係嵌用開口部１１に形成される前記傾斜基準縁９ａｏ，８ａｏと前記上向き傾斜掛止縁９ａと前記垂直立ち上がり掛止縁８ａとに囲繞されて形成される略扇形開口状の掛嵌用開口部１１の扇形角αは２５°に形成される場合には、屋根桁材２の上面に取り付けられる屋根母屋３は、その上向きリップ３ｂが掛嵌用開口部１１において２５°の範囲で扇形状輪郭に変移することができるから、下部水平部板片７は屋根桁材２の水平面から傾斜面にわたる傾斜角θが２５°の範囲で常に水平状態に維持することができ、それがために屋根母屋３の取付角度θが水平状態から２５°の傾斜角度までの範囲で下部水平部板片７にねじ込まれる吊りボルト５を垂直状態に現場施工で容易に取り付けることができ、能率的であり実用的でもある。
【図面の簡単な説明】
【００１４】
【図１】本考案に係る吊りボルト取付装置の使用状態を示す正面図である。
【図２】同要部の拡大正面図である。
【図３】本考案の要部である吊元金具の製作工程の説明図で、そのうち、（ａ）は斜視図、（ｂ）は（ａ）のＡーＡ線断面図、（ｃ）は（ｂ）のＢーＢ線断面図、（ｄ）は展開図である。
【図４】屋根母屋が水平状態から種々の傾斜角度に取り付けられる場合の吊りボルトが垂直に吊持される使用状態を示す正面図である。
【図５】水平状態の屋根母屋の変形例を示すもので、これに吊りボルトを吊元金具によって垂直に取り付けた使用状態を示す。
【図６】本考案の要部である吊元金具の他の実施形態の図３と同様な製作工程の説明で、そのうち、（ａ）は斜視図、（ｂ）は（ａ）のＣーＣ線断面図、（ｃ）は（ｂ）のＤーＤ線断面図、（ｄ）は展開図である。
【図７】本考案に係る吊りボルト取付装置を天井板を吊持する場合の使用状態を示す正面図である。
【図８】従来技術に係る吊りボルト取付装置の使用状態を示す正面図である。
【考案を実施するための形態】
【００１５】
以下に、本考案に係る吊りボルト取付装置の一実施形態について、図面を参照して具体的に説明すると、図８の従来技術のように長手方向に傾斜して取り付けられる屋根桁材２を利用して吊りボルト５を吊持するのではなく、図７に本考案の一使用例が示されるように、屋根下地や屋根ボード等の屋根材１の勾配に合わせて種々の勾配角度に傾斜して長手方向に配設される屋根桁材２である鉄骨製屋根骨枠の上面に、これに直交して固定具２０によって取り付けてなるリップ付き溝形鋼からなる屋根母屋３を利用して、これに本考案の要部である吊元金具４によって天井等の吊りボルト５を垂直に取り付けるようになっていることを特徴とする。なお、吊りボルト５で吊持されるのは実施形態で示すように、主に天井板２３を吊持することを目的とするが、配管や配線を懸架吊持する場合にも使用される。なお又、屋根母屋３であるリップ付き溝形鋼は周知のもので、図１に示すように、縦部フランジ３ｄと、その上部フランジ３ｅと、その下部フランジ３ａと、上下部フランジ３ｅ，３ａの先端部に開口部３ｆを挟んで互いに対向して突設される下向きリップ３ｇ及び上向きリップ３ｂとからなるものである。なお又、図中、図８と同じく周知のように、吊りボルト５の下端部にハンガー２４を介して野縁受け２５が取り付けられ、該野縁受け２５にクリップ２６を介して野縁２７が取り付けられ、該野縁２７に天井板２３が釘打ち等によって取り付けられるようになっている。
【００１６】
本考案の要部である吊元金具４は、図１又は図２に示すように、吊りボルト５をねじ込むネジ孔６を設けた下部水平部板片７と、該下部水平部板片７の前後両端縁から上方に向かって立ち上がる一対の立ち上がり部板部片８と、一対の立ち上がり部板部片８の上部側から下部水平部板片７に上下に対向するように延設される一対の上部縦板部片９とからなり、一対の上部縦板部片９とこれに対向する前記下部水平部板片７との間に屋根母屋３の下部フランジ３ａが掛入される掛入用開口部１０が形成され、一対の上部縦板部片９と一対の立ち上がり部板部片８との間に屋根母屋３の上向きリップ３ｂが嵌合掛止される掛嵌用開口部１１が前記掛入用開口部１０に連通して上向きに形成され、該掛嵌用開口部１１の入口開口部１１ａから奥行開口部１１ｂに向かって上向きに傾斜する上向き傾斜掛止縁９ａが一対の上部縦板部片９の縦板端縁に形成され、該上向き傾斜掛止縁９ａに対向して前記掛嵌用開口部１１を挟んで垂直に立ち上がる垂直立ち上がり掛止縁８ａが立ち上がり部板部片８の立ち上がり端縁に形成され、前記上向き傾斜掛止縁９ａと前記垂直立ち上がり掛止縁８ａとに囲繞されて、前記掛嵌用開口部１１は奥広がりの略扇形開口状に形成されてなる。
【００１７】
又、  前記一対の上部縦板部片９の下縁部は、前記掛入用開口部１０に掛入される屋根母屋３の下部フランジ３ａが水平に当接掛止されるための水平掛止縁９ｂを形成している。
【００１８】
又、前記掛嵌用開口部１１の入口開口部１１ａを挟んで前記上向き傾斜掛止縁９ａと前記垂直立ち上がり掛止縁８ａとに、屋根母屋３の下部フランジ３ａと上向きリップ３ｂとのコーナー部３ｃが当接して屋根母屋３の傾斜基準点となる傾斜基準縁９ａｏ，８ａｏが形成されている。
【００１９】
更に又、前記係嵌用開口部１１に形成される前記傾斜基準縁９ａｏ，８ａｏと前記上向き傾斜掛止縁９ａ前記垂直立ち上がり掛止縁８ａとに囲繞されて形成される略扇形開口状の掛嵌用開口部１１の扇形角αは、この実施形態では２５°に形成されている。
【００２０】
図３は、本考案の要部である吊元金具４の製造工程を示すもので、吊元金具４は、（ｄ）に示すように、所定の長さ、幅及び厚みを有する長方形の金属板材Ｍをプレス加工によって下部水平部板片７、立ち上がり部板部片８、上部縦板部片９及びネジ用貫通孔６ａを成形し、折り込み部Ｐ１，Ｐ２で折り込んで、且つネジ取付用貫通孔６ａをタップ加工によってネジ孔６に形成することによって、（ａ）〜（ｃ）に示すように吊元金具４が製造されるのである。金属板材Ｍに形成される貫通孔６ａは、金属板材Ｍの段階でタップ加工を行い、ネジ孔６を形成するようにしてもよい。このように、吊元金具４は、極めて簡単な製造工程によって製造することができるから安価に製造することができる。各構成要素については、図１及び図２に詳細に説明しているので、各構成要素に図１及び図２に付した符号と同じ符号を付すことによって説明を省略する。
【００２１】
図６は、本考案の要部である他の実施形態の吊元金具４の製造工程を示すもので、図３に示す製造工程と同じであるから、この図６にも各構成要素に同じ符号を付すことによって説明を省略するが、図３に示す実施形態と相違する点は、下部水平部板片７、立ち上がり部板部片８及び上部縦板部片９に補強リブ１２を同時に膨出成形したことである。このように、金属板材Ｍに補強リブ１２を形成することによって金属板材Ｍ、従って加工後の各構成部分が補強されるため、金属板材Ｍの厚みを図３に示す実施形態の金属板材Ｍに比べて薄くすることができるという効果がある。例えば、図３の金属板材Ｍの厚みを３．２ｍｍとすれば、図６の金属板材Ｍの厚みは、２．３ｍｍのものを採用することで、図３と同じ強度とすることができ、それだけ材料費の軽減に貢献することができる。
【００２２】
図４は、屋根母屋３が水平状態から種々の傾斜角度に取り付けられる場合の吊りボルト５が垂直に吊持される使用状態を示すもので、先ず（ａ）に示すように、水平状態にある屋根母屋３に吊元金具４を取り付けるには、該吊元金具４を屋根母屋３の開口部３ｆから吊元金具４内に嵌め入れ、掛入用開口部１０に位置する下部フランジ３ａに一対の上部縦板部片９の下縁部である水平掛止縁９ｂを当てつけ、その状態で吊元金具４の下部水平部板片７のネジ孔６にねじ込んだ吊りボルト５の先端部を下部フランジ３ａに押接させる。これによって、屋根母屋３は、その下部フランジ３ａが吊元金具４の水平掛止縁９ｂと吊りボルト５とによって強力に挟持されると共に、下部フランジ３ａの先端部の上向きリップ３ｂは吊元金具４の立ち上がり部板部片８の壁面に強力に当接して、吊りボルト５は吊元金具４を介して屋根母屋３に強力に吊持されることになる。この（ａ）では、屋根母屋３の傾斜角θは０°で、上向きリップ３ｂの扇形角αは０°である。この点は、図５に示す水平状態のＨ型鋼からなる屋根母屋３Ａについても同じである。
【００２３】
（ｂ）では、傾斜角θが５°の屋根母屋３に吊元金具４を取り付ける例を示すもので、該吊元金具４を屋根母屋３の開口部３ｆから屋根母屋３内に嵌め入れ、水平状態の吊元金具４を下部フランジ３ａに近づけることによって、屋根母屋３のコーナー部３ｃは上部縦板部片９の水平掛止縁９ｂの端部である傾斜基準縁９ａｏと立ち上がり部板部片８の端縁である傾斜基準縁８ａｏとの両方基準縁又は何れかの基準縁に当接し、その状態で吊元金具４の下部水平部板片７のネジ孔６にねじ込んだ吊りボルト５の先端部を下部フランジ３ａに押接させることによって、吊りボルト５は吊元金具４を介して屋根母屋３に強力に吊持されることになる。この（ｂ）では、屋根母屋３の傾斜角θは５°で、上向きリップ３ｂの扇形角αは５°である。このように、屋根母屋３であるリップ付き溝形鋼は、そのコーナー部が直角であるから、屋根母屋３の傾斜角θと上向きリップ３ｂの扇形角αとは同じ角度からなることになる。
【００２４】
（ｃ）では、傾斜角θが１０°の屋根母屋３に吊元金具４を取り付ける例を示すもので、この（ｃ）では、屋根母屋３の傾斜角θは１０°で、上向きリップ３ｂの扇形角αは１０°である。
【００２５】
（ｄ）では、傾斜角θが１５°の屋根母屋３に吊元金具４を取り付ける例を示すもので、この（ｄ）では、屋根母屋３の傾斜角θは１５°で、上向きリップ３ｂの扇形角αは１５°である。
【００２６】
（ｅ）では、傾斜角θが２０°の屋根母屋３に吊元金具４を取り付ける例を示すもので、この（ｅ）では、屋根母屋３の傾斜角θは２０°で、上向きリップ３ｂの扇形角αは２０°である。
【００２７】
（ｆ）では、傾斜角θが２５°の屋根母屋３に吊元金具４を取り付ける例を示すもので、この（ｆ）では、屋根母屋３の傾斜角θは２５°で、上向きリップ３ｂの扇形角αは２５°である。この（ｆ）では、上記と同じように、吊元金具４を屋根母屋３の開口部３ｆから屋根母屋３内に嵌め入れ、水平状態のまま吊元金具４を下部フランジ３ａに近づけることによって、屋根母屋３のコーナー部３ｃは立ち上がり部板部片８の立ち上がり端縁の傾斜基準縁８ａｏに当接し、その状態で吊元金具４の下部水平部板片７のネジ孔６にねじ込んで吊りボルト５の先端部を下部フランジ３ａに押接させることによって、上向きリップ３ｂは上部縦板部片９の上向き傾斜掛止縁９ａに当接維持され、吊りボルト５は吊元金具４を介して屋根母屋３に強力に垂直に吊持されることになる。
【００２８】
以上のように、本考案に係る吊りボルト取付装置によれば、本考案の要部である吊元金具４を採用することによって、屋根桁材２の上面に水平状態に取り付けられる場合から屋根桁材２の上面に種々の傾斜状態に取り付けられる場合にかけて、屋根母屋３に吊元金具４を介して吊りボルト５は垂直に堅固に取り付けられることになる。
【符号の説明】
【００２９】
１          屋根
２          屋根桁材
３          リップ付き溝形鋼からなる屋根母屋
３ａ        下部フランジ
３ｂ        上向きリップ
３ｃ        コーナー部
４          吊元金具
５          吊りボルト
６          ネジ孔
７          下部水平部板片
８          立ち上がり部板部片
８ａ        垂直立ち上がり掛止縁
８ａｏ      傾斜基準縁
９          上部縦板部片
９ａ        上向き傾斜掛止縁
９ｂ        水平掛止縁
１０        掛入用開口部
１１        掛嵌用開口部
１１ａ      入口開口部
１１ｂ      奥行開口部
θ          屋根母屋３の傾斜角
α          上向きリップ３ｂの扇形角
【図１】
0003204309.tif 000003
【図２】
0003204309.tif 000004
【図３】
0003204309.tif 000005
【図４】
0003204309.tif 000006
【図５】
0003204309.tif 000007
【図６】
0003204309.tif 000008
【図７】
0003204309.tif 000009
【図８】
0003204309.tif 000010